(57)【要約】【課題】  幼児の脚部の脱落防止効果を高めた子守帯を提供する。【解決手段】  幼児１１０を寝かせるマット部４と、マット部４を吊り下げ支持するための肩ベルト３とを有し、マット部４には幼児１１０の頭部１１１から臀部１１２までを支持する本体部４Ａと、幼児１１０の脚部１１３を支持する脚支持部４Ｂとが設けられた子守帯１において、本体部４Ａの両側の前記脚支持部に対する境界位置に、ガード壁３５を立ち上げる。【選択図】      図１８
2005230110.tif 000002
【特許請求の範囲】
【請求項１】
幼児を寝かせるマット部と該マット部を吊り下げ支持するための肩ベルトとを有し、前記マット部には前記幼児の頭部から臀部までを支持する本体部と、前記幼児の脚部を支持する脚支持部とが設けられた子守帯において、
前記本体部の両側の前記脚支持部に対する境界位置にはガード壁が立ち上げられていることを特徴とする子守帯。
【請求項２】
前記本体部の側縁には幼児の腹部を側方から支持する側方支持部が設けられ、前記ガード壁は前記側方支持部と前記脚支持部との間に介在するように設けられていることを特徴とする請求項１に記載の子守帯。
【請求項３】
前記ガード壁の表皮材と前記脚支持部の表皮材とを立体縫製することにより、前記ガード壁が立ち上がった状態に保持されていることを特徴とする請求項１に記載の子守帯。
【請求項４】
前記立体縫製は、前記ガード壁の表皮材と前記脚支持部の表皮材との間に外周に向かうほど拡大する切れ目を設け、その切れ目を一定の縫い代で縫い合わせることにより実現されていることを特徴とする請求項３に記載の子守帯。
【請求項５】
前記本体部と前記脚支持部とは折り曲げ自在に連結されていることを特徴とする請求項１〜４のいずれか一項に記載の子守帯。
【発明の詳細な説明】
【技術分野】
【０００１】
本発明は、幼児を横抱き姿勢で吊り下げ支持できるようにした子守帯に関する。
【背景技術】
【０００２】
幼児をマット部上にほぼ水平に寝かせた状態でそのマット部を使用者の肩からベルトにて吊り下げ支持するようにした子守帯が提供されている（例えば特許文献１参照）。
【特許文献１】特開２００２−２８２０９７号公報
【発明の開示】
【発明が解決しようとする課題】
【０００３】
上記のような子守帯において、マット部には、幼児の頭部から臀部までを支持する本体部とともに、幼児の脚部を支持するための脚支持部とが設けられることが多い。しかしながら、脚支持部はほぼ平板状の構成であるため、幼児の脚がその側方に簡単に落ちてしまう。特に、肩ベルトからの吊り下げ時には脚支持部が本体部との境界を支点として斜めに持ち上げられるので、幼児の脚がさらに落ち易くなる。
【０００４】
そこで、本発明は幼児の脚部の脱落防止効果を高めた子守帯を提供することを目的とする。
【課題を解決するための手段】
【０００５】
本発明は、以下の手段により上述した課題を解決する。なお、本発明の理解を容易にするために添付図面の参照符号を括弧書きにて付記するが、それにより本発明が図示の形態に限定されるものではない。
【０００６】
本発明は、幼児（１１０）を寝かせるマット部（４）と該マット部を吊り下げ支持するための肩ベルト（３）とを有し、前記マット部には前記幼児の頭部から臀部までを支持する本体部（４Ａ）と、前記幼児の脚部を支持する脚支持部（４Ｂ）とが設けられた子守帯（１）において、前記本体部の両側の前記脚支持部に対する境界位置にはガード壁（３５）が立ち上げられることにより、上述した課題を解決する。
【０００７】
この発明の子守帯によれば、本体部の両側であってしかも脚支持部に対する境界位置に設けられたガード壁が幼児の太股付近の外側への開きを制限する。これにより、幼児の脚部が脚支持部上に保持される。
【０００８】
本発明の子守帯において、前記本体部の側縁には幼児の腹部を側方から支持する側方支持部（６）が設けられてもよく、その場合、前記ガード壁は前記側方支持部と前記脚支持部との間に介在するように設ければよい。
【０００９】
本発明においては、前記ガード壁の表皮材（３６）と前記脚支持部の表皮材（３７）とを立体縫製することにより、前記ガード壁が立ち上がった状態に保持されてもよい。その立体縫製は、前記ガード壁の表皮材と前記脚支持部の表皮材との間に外周に向かうほど拡大する切れ目（３８）を設け、その切れ目を一定の縫い代（３９）で縫い合わせることにより実現されてもよい。このような立体縫製によれば、ガード壁と脚支持部との間にガードを持ち上げるような応力を発生させてガード壁を立ち上がった状態に保持することができる。
【００１０】
さらに、前記本体部と前記脚支持部とが折り曲げ自在に連結されている場合には、ガード壁を立ち上げることによって脚支持部の側縁も幾らか持ち上げられるようになり、脚部の脱落防止効果がさらに高まる。
【発明の効果】
【００１１】
以上に説明したように、本発明の子守帯によれば、マット部のガード壁により幼児の太股付近の外側への開きが制限されるため、脚支持部からの幼児の脚部の脱落防止効果が高められる。従って、幼児の脚部を脚支持部上に確実に保持して、幼児を快適な横抱き姿勢で支持することができる。
【発明を実施するための最良の形態】
【００１２】
図１は本発明が適用された子守帯１を示している。子守帯１は幼児を寝かせた状態で支持するための支持具２と、その支持具２の頭部支持側となる前端部２ａ及び脚部支持側となる後端部２ｂとを吊り下げ支持する肩ベルト３とを備えている。支持具２は幼児が横たわるマット部４を有し、そのマット部４の前縁４ａには幼児の頭部を取り囲むためのヘッドガード５が設けられている。また、マット部４の左右の側縁４ｃにはそれぞれ略三角形状のサイドパッド（側方支持部）６が設けられている。さらに、左右のサイドパッド６の間には腹部保持部としての腹当てパッド７が配置され、その基部７ａはマット部４の後縁４ｂよりも幾らか前方に離れた位置に縫い付け等の手段により接合されている。ヘッドガード５とサイドパッド６との間には授乳用の開口部８が設けられている。これらマット部４、ヘッドガード５、サイドパッド６及び腹当てパッド７はいずれも適当な内装材を布製の表皮材にて覆って形成されている。内装材や表皮材は子守帯１の各部の用途や機能に応じて適宜に変更される。
【００１３】
肩ベルト３は前ベルト１０及び後ベルト１１をラダーロック１２にて連結して、長さ調整可能な一本のベルトとして構成したものである。前ベルト１０及び後ベルト１１の素材には布、樹脂等の各種ベルト素材を用いてよいが、ここでは布ベルトである。
【００１４】
図２にも示すように、支持具２の前端部２ａを支持する前ベルト１０の一端部は二股に分岐されて一対の連結部１３が形成されている。各連結部１３には、支持具２の前端部２ａを吊り下げ支持するためのアジャストベルト１４と、支持具２の前端部２ａの支持に関与するアジャストベルト１４の長さ（以下、有効長と呼ぶことがある。）を調整するベルト長さ調整具としてのラダーロック１５とが設けられている。アジャストベルト１４の一端はヘッドガード５の上縁５ａに縫い付けられて接合され、アジャストベルト１４の他端はラダーロック１５に差し込まれて図中の白抜き矢印で示すように一端側へ折り返されている。アジャストベルト１４のヘッドガード５に対する接合部分からラダーロック１５までの長さが各アジャストベルト１４の有効長に相当する。ラダーロック１５から引き出されたアジャストベルト１４の余長部１４ａの先端には、その余長部１４ａを所定長さ折り返して縫い合わせることによりループ部１４ｂが形成されている。
【００１５】
以上の肩ベルト３によれば、左右のアジャストベルト１４のラダーロック１５からの引き出し長さ（余長部１４ａの長）を独立して調整することにより、肩ベルト３の各連結部１３による支持具２の前端部２ａの支持高さを左右独立して変化させ、それにより、幼児の支持姿勢を図３の横抱き姿勢と、図４の授乳に適した姿勢との間で切り替えることができる。
【００１６】
すなわち、横抱き姿勢を実現する場合には、図２に示すようにアジャストベルト１４の有効長を左右でほぼ等しく設定し、その状態で図３（ａ）及び（ｂ）に示すように使用者（授乳者）１００が肩ベルト３を袈裟懸け状態で肩に掛け、マット部４に寝かされた幼児１１０の頭部１１１が臀部１１２よりもやや上に位置するように子守帯１を支持する。なお、幼児１１０の全体の支持高さは、ラダーロック１２を利用して肩ベルト３の後ベルト１１が子守帯１の支持に関与する長さ（有効長）を調整すればよい。このような使用状態では、図２に示すように子守帯１に支持された幼児１１０が子守帯１の幅方向（図２の矢印Ｗ方向）に関してほぼ水平に支持される。
【００１７】
一方、授乳に適した姿勢を実現する場合には、横抱き姿勢の場合よりも肩ベルト３を縮める。つまりラダーロック１２を利用して後ベルト１１の有効長を短く設定し、子守帯１の支持位置を全体的に上昇させて使用者１００の胸元へ幼児１１０を近付ける。そして、図５にも示したように、肩ベルト３のアジャストベルト１４のうち、使用者１００から遠い側のアジャストベルト１４の有効長を使用者１００から近い側のアジャストベルト１４の有効長よりも短く設定する。これにより、マット部４に寝かされている幼児１１０の頭部１１１が使用者１００から遠い側において持ち上げられ、幼児１１０の頭部１１１が使用者１００に向かって顔を向けるように傾く。この傾きと授乳用の開口部８とを利用して幼児１１０の口元を使用者１００の乳首まで引き寄せ、その状態で幼児１１０を継続的に支持することができる。これにより、使用者１００が幼児１１０の頭部１１１を腕や手で支持しなくても授乳を続けることができ、使用者１００の負担が軽減される。
【００１８】
なお、授乳時の姿勢では、傾けられた幼児１１０をヘッドガード５及びサイドパッド６で受け止めて幼児１１０の姿勢を安定させることができる。また、図６に示したように、アジャストベルト１４の有効長を縮める際には、アジャストベルト１４のループ部１４ｂに親指等を掛けることにより、余長部１４ａを容易かつ迅速に引き出すことができる。さらに、肩ベルト３が袈裟懸け式で、かつ授乳用の開口部８がヘッドガード５の両側に設けられているため、支持具２を左右に反転させて肩ベルト３をかけ直すことにより、左右いずれの側でも授乳が行える。連結部１３には、支持具２の内側（マット部４側）からみてラダーロック１５を覆うようにカバー１６が設けられている。カバー１６は肩ベルト３の前ベルト１０と同一の生地で構成され、その基部１６ａはラダーロック１５を固定するための固定ベルト１７を覆う袋状に構成されている。このようなカバー１６が設けられることにより、マット部４に寝かされた幼児１１０の頭部１１１がラダーロック１５と接触するおそれがなくなる。特に授乳時には幼児１１０の頭部１１１が使用者１００側に偏って連結部１３に接する可能性が高いので、このようなカバー１６が役立つ。
【００１９】
次に、子守帯１の各部の特徴について説明する。
【００２０】
まず、マット部４に関して説明すると、図１に示すように、マット部４は本体部４Ａと脚支持部４Ｂとを備えている。図３（ａ）に示したように、本体部４Ａは幼児１１０の頭部１１１から臀部１１２までを支持し、脚支持部４Ｂは幼児１１０の脚部１１３を支持する。本体部４Ａと脚支持部４Ｂとはそれらの境界部分に設けられたステッチライン４ｄ（図１参照）に沿って互いに折れ曲がり可能に連結されている。各部４Ａ、４Ｂの上面側の表皮材には、通気性を考慮してメッシュ生地が好適に用いられる。各部４Ａ、４Ｂの内部には、ウレタン等のクッション材が内装材として配置されている。
【００２１】
本体部４Ａの内部には、クッション材とは別のさらなる内装材として、マット部４の形状を保持するための芯材として機能する図７に示すような背板１８が内蔵されている。背板１８はポリプロピレン等の熱可塑性樹脂を素材とする成形品である。図８に示すように、背板１８は、子守帯１の幅方向に関する中心部を底として僅かに弓形に湾曲している。また、背板１８には、幼児１１０を支持する際の負荷に対してほぼ元の形状を維持できる程度の剛性が付与されている。図７から明らかなように、背板１８のほぼ全面には、マット部４の通気性を改善するための適宜数の通気孔１８ａが設けられている。さらに、背板１８の一端部には一対の延長部１８ｂが設けられている。延長部１８ｂはヘッドガード５の内部に差し挟まれ、アジャストベルト１４によるヘッドガード５の吊り下げ反力に抗してヘッドガード５の形状変化を抑える。
【００２２】
図９（ａ）及び（ｂ）に示すように、背板１８の外周の全周には、拡大部としての断面円弧状の玉縁部１８ｃが設けられている。玉縁部１８ｃが設けられることにより、背板１８の外周からは背板１８の板厚又はそれよりも薄いシャープエッジが排除され、マット部４が使用者１００に当たったときの感覚が和らげられる。幼児１１０がその腕をマット部４の側方に延ばした際に、使用者１００とマット部４との間に腕が過度に挟まれないようにするため、図１０に示したように、背板１８の側縁に、図中二点鎖線で示す本来の輪郭形状（つまり、前後の湾曲に沿って自然なラインを描いたときの輪郭形状）から内側に後退したえぐり部１８ｄを設けるようにしてもよい。なお、図１０のえぐり部１８ｄにも玉縁部１８ｃを設けてもよい。拡大部は断面円弧状の玉縁部１８ｃに限らず、背板１８の外周においてシャープエッジをなくせるような形状であれば楕円状、滴状等、適宜に変更可能である。例えば、背板１８の外周をカールさせて拡大部を形成してもよい。
【００２３】
なお、背板１８は本体部４Ａに限って設けられている。脚支持部４Ｂの内部には、ウレタン等のクッション材の他に、形状保持用の芯材として機能する背板１８とは別の板状の樹脂成形品（例えばポリプロピレン成形品）が内装材として設けられている。
【００２４】
図１に示すように、マット部４には、幼児１１０の頭部１１１を置く範囲を示す指標としてステッチライン１９が設けられている。また、ヘッドガード５には内装材としてウレタン等のクッション材が介在されているが、頭部１１１付近の通気性を確保するため、そのクッション材には図１１に示すように通気孔２０が設けられている。さらに、ヘッドガード５の通気孔２０の付近を覆う部分の表皮材にはメッシュ生地２１が使用されている。なお、図１１の構成に代え、図１２に示したようにヘッドガード５を貫通するように通気孔２２を設けてもよい。
【００２５】
次に、サイドパッド６及び腹当てパッド７を利用した幼児１１０の固定について説明する。図１に示すように、サイドパッド６はマット部４の側縁４ｃから上方に延ばされており、マット部４に対する接合部６ａにマット部４の内外に折り返し自在である。支持具２の前端部２ａ側からみて左側のサイドパッド６にはホールドベルト２５の基部２５ａが縫い付けて固定されている。ホールドベルト２５は左右のサイドパッド６間を往復できる程度の長さを有している。
【００２６】
図１４（ａ）にも示したように、ホールドベルト２５の途中にはメスバックル２６Ａが取り付けられ、ホールドベルト２５の先端側にはそのメスバックル２６Ａに対して連結及び分離が可能なオスバックル２６Ｂが取り付けられている。メスバックル２６Ａの取付位置は不変である。アジャストベルト１４とラダーロック１５との関係と同様に、ホールドベルト２５の先端はオスバックル２６Ｂに差し込まれて折り返されることにより余長部２５ｂを形成している。その余長部２５ｂの長さを調整することよってホールドベルト２５上におけるオスバックル２６Ｂの位置が調整可能である。そのオスバックル２６Ｂの位置を調整することにより、幼児１１０の拘束に関与するホールドベルト２５の長さ（有効長）を変化させることができる。
【００２７】
一方、図２に示すように、支持具２の前端部２ａからみて右側のサイドパッド６には固定ベルト２７が縫い付けられ、その固定ベルト２７の先端にはベルト通し具２８が取り付けられている。ベルト通し具２８はアルファベットのＤを描くように形成されたリング状の部品であり、Ｄカンと通称されているものである。ベルト通し具２８は、ホールドベルト２５に取り付けられたオスバックル２６Ｂが通過可能な大きさを有している。但し、その大きさはオスバックル２６Ｂが通過する範囲でなるべく小さく制限するとよい。
【００２８】
図１に示した腹当てパッド７は、マット部４の脚支持部４Ｂに接合される基部７ａからマット部４に寝かされる幼児の股間を経て先端部７ｂが幼児の腹部に達するように設けられるとともに、基部７ａを支点としてマット部４の内外に折り返し可能である。腹当てパッド７は、マット部４側に折り返された際にサイドパッド６同士の隙間にその先端部７ｂが入り込むようにその位置及び大きさが設定されている。腹当てパッド７の先端部７ｂには、ホールドベルト２５が通過する位置を調整するベルト位置調子手段として、第１のベルト通し孔３０と、その第１のベルト孔３０よりも基部７ａ側、すなわち支持具２の後端部２ｂ側に後退した第２のベルト通し孔３１とが設けられている。これらのベルト通し孔３０、３１はいずれもホールドベルト２５のバックル２６Ａ、２６Ｂを通過させるために十分な大きさを有している。第１のベルト通し孔３０は、腹当てパッド７の表面に布製の第１のベルト通し３２を配置し、その両側縁部３２ａ以外の部分をパッド本体７ｃに縫い付けることにより形成されている。また、第２のベルト通し孔３１は第１のベルト通し３２の表面に布製の第２のベルト通し３３を配置し、その両側縁部３３ａ以外の部分をパッド本体７ｃ又は第１のベルト通し３２に縫い付けることにより形成されている。勿論、上記以外の方法によって第１及び第２のベルト通し孔３０、３１を形成してもよい。
【００２９】
図１３はマット部４に寝かせた幼児１１０をパッド６、７にて固定する様子を示している。幼児１１０をマット部４に寝かせる場合、又はマット部４から抱き上げる場合には、図１３（ａ）に示すように各パッド６及び７をマット部４の外側に折り返して、マット部４をその上面に障害物がないほぼフラットな状態に広げる。これにより、幼児１１０の乗せ降ろしが容易に行える。特に、袋状に構成された子守帯と比較した場合にその差は顕著である。
【００３０】
図１３（ａ）のようにマット部４に幼児１１０を寝かせた後は、図１４（ａ）にも示したようにベルト通し孔３０又は３１のいずれか一方（図１３では第２のベルト孔３１が、図１４では第１のベルト通し孔３０がそれぞれ選択されている。）にホールドベルト２５を通す。次に、図１４（ｂ）に示すようにホールドベルト２５の先端のオスバックル２６Ｂをベルト通し具２８に通し、続いて図１４（ｃ）に示したようにオスバックル２６Ｂを上側に折り返し、ベルト通し孔３０又は３１からメスバックル２６Ａを引き出す。そして、図１４（ｄ）に示すようにオスメスバックル２６Ａ、２６Ｂを連結し、両バックル２６Ａ、２６Ｂをベルト通し孔３０又は３１に戻す。この際、ホールドベルト２５の余長部２５ｂはベルト通し具２８から完全に引き出しておく。
【００３１】
以上の作業を経ることにより、図１３（ｂ）に示すように両サイドパッド６及び腹当てパッド７がホールドベルト２５によって一つに連結される。但し、ホールドベルト２５の有効長が十分に長い状態ではサイドパッド６同士が離れて腹当てパッド７との間に隙間が生じ、幼児１１０をマット部４上でしっかりと固定することはできない。そこで、図１３（ｂ）の状態から、さらにホールドベルト２５の余長部２５ｂをオスバックル２６Ｂから引き出してホールドベルト２５の有効長を短くする。これにより、図１３（ｃ）に示すように、サイドパッド６及び腹当てパッド７が幼児１１０の腹部の周りで連続し、マット部４に寝かされた幼児１１０を支持具２内に確実に固定することができる。この場合、ホールドベルト２５の有効長の短縮に伴ってバックル２６Ａ、２６Ｂがベルト通し孔３０又は３１から突出しても、それらのバックル２６Ａ、２６Ｂはサイドパッド６上に位置し、幼児１１０に直接当たることはない。
【００３２】
ホールドベルト２５を通過させるベルト通し孔３０又は３１の選択は幼児１１０の体格に応じて行えばよい。すなわち、幼児１１０の体格が大きいときには第１のベルト通し孔３０を選択し、小さいときは第２のベルト通し孔３１を選択する。これにより幼児１１０の体格（特に座高）の大小に拘わらずホールドベルト２５による拘束位置を適正化し、腹当てパッド７を幼児１１０にフィットさせることができる。
【００３３】
なお、オスバックル２６Ｂ及びこれから引き出されたホールドベルト２５の余長部２５ｂをいずれもベルト通し具２８に完全に通過させており、しかも、ベルト通し具２８を経由してホールドベルト２５がほぼ１８０°折り返されているので、メスバックル２６Ａからオスバックル２６Ｂが確実に連結されていない状態でホールドベルト２５に引張力が作用した場合、図１５（ａ）及び（ｂ）に示すようにオスバックル２６Ｂとホールドベルト２５の余長部２５ｂとがベルト通し具２８に引っ掛かる。この場合、使用者１００がオスバックル２６Ｂの向きを強制的に切り替えてオスバックル２６Ｂをベルト通し具２８から抜き取らない限り、ホールドベルト２５とベルト通し具２８との連結が維持される。従って、ホールドベルト２５の操作に関して高い安全性を確保することができる。
【００３４】
図１６はマット部４の本体部４Ａと脚支持部４Ｂとの連結部を部分的に拡大して示している。上記のように、本体部４Ａと脚支持部４Ｂとはステッチライン４ｄにて区分されている。本体部４Ａにはそのステッチライン４ｄに繋がるステッチライン４ｅが側縁４ｃよりも幾らか内側に離して設けられている。図７に示した背板１８はこのステッチライン４ｅよりも内側に配置されており、ステッチライン４ｅよりも外側の領域はサイドパッド６に通じるガード壁３５として上向きに立てることが可能とされている。このガード壁３５はマット部４の左右両側に等しく設けられている。
【００３５】
ガード壁３５と脚支持部４Ｂとの接続部分は、ガード壁３５が幾らか立ち上がった状態に保持されるように立体縫製されている。すなわち、図１７（ａ）に示すように、ガード壁３５を構成する表皮材３６と脚支持部４Ｂを構成する表皮材３７との間には外周に向かうほど拡大する切れ目３８が設けられている。図１７（ｂ）に示すように、その切れ目３８の一定幅を縫い代３９として両表皮材３６、３７が縫い合わされる。これにより、脚支持部４Ｂ及びガード壁３５を幾らか持ち上げるような応力が発生し、ガード壁３５が自然に立ち上がるようになる。このようなガード壁３５を設けることにより、脚支持部４Ｂに支持された幼児１１０の脚部１１３が側方にずり落ち難くなる。
【００３６】
図１６に示すように、脚支持部４Ｂには、腹当てパッド７の基部７ａに対してマット部４の後縁４ｂ側に隣接するようにして、留め具としてのトグル４０が設けられている。一方、図１８（ａ）に示すように肩ベルト３の後ベルト１１にはボタン孔４１ａを有する掛止部４１が設けられている。マット部４の後縁４ｂからボタン孔４１ａまでの距離は、後縁４ｂからトグル４０の取付位置までの距離とほぼ等しい。ボタン孔４１ａからトグル４０を抜き取った状態では肩ベルト３による脚支持部４Ｂの吊り下げ支持位置が後縁４ｂと一致する。これに対して、図１８（ｂ）に示すようにボタン孔４１ａにトグル４０を通して掛止部４１の裏側にトグル４０を掛け止めすることにより肩ベルト３とトグル４０とが接続され、これにより肩ベルト３による脚支持部４Ｂの吊り上げ支持位置（マット部４の吊り下げ荷重の作用点）が図１８（ａ）よりも本体部４Ａに接近する。
【００３７】
このように脚支持部４Ｂの吊り下げ支持位置を変化させることにより脚支持部４Ｂの本体部４Ａに対する傾きを適宜に調整することができる。例えば、体格が小さい幼児１１０の場合は体重も軽いので、図１８（ａ）の状態のままでは、肩ベルト３からの吊り下げた時に脚支持部４Ｂが必要以上に持ち上げられる。このような場合に、トグル４０をボタン孔４１ａに通してマット部４の吊り下げ支持位置を前に移す。これにより、脚支持部４Ｂの傾きを緩和して自然な支持姿勢を実現することができる。幼児１１０が成長してマット部４が窮屈となってきた場合にはトグル４０を肩ベルト３から外して吊り下げ位置を後方に移動させればよい。この場合、体格の大きい幼児１１０は体重も重いので、脚支持部４Ｂの傾斜が自ずと制限される。
【００３８】
肩ベルト３のボタン孔４１ａの付近は幼児１１０の股間に通されるため、肩ベルト３と幼児１１０の脚部１１３、特には太股の内側が幅広の肩ベルト３に圧迫されるおそれがある。そこで、図１８（ａ）に示されているように、肩ベルト３の後ベルト１１には、ベルト幅を減少させた狭小部としての絞り部４２がボタン孔４１ａに対して肩ベルト３の長さ方向中心側に隣接するように設けられている。絞り部４２は、後ベルト１１を幅方向の中心部を底として二つ折りし、その二つ折り部分にて後ベルト１１の両縁同士を縫い合わせることによって形成されている。勿論、他の方法によって狭小部が形成されてもよい。また、肩ベルト３の後ベルト１１には、掛止部４１及び絞り部４２が設けられた領域を被覆可能な筒状のカバー４３が設けられている。図１９（ａ）に示すように、カバー４３はマット部４の後縁４ｂまでほぼ達する長さを有している。また、図１９（ｂ）に示すように、絞り部４２を露出させ得る程度までカバー４３はめくり上げることが可能である。このようなカバー４３によりトグル４０や絞り部４２を幼児１１０に対して覆い隠して直接的な接触による不快感の発生を防止することができる。なお、肩ベルト３の幅が小さければ狭小部は省略してもよい。狭小部が省略される場合、カバー４３は掛止部４１を被覆可能であればよい。特に支障がなければカバー４３そのものを省略してもよい。
【００３９】
本発明は以上の実施形態に限定されるものではなく、種々の形態にて実施することができる。例えば、ヘッドガード５、サイドパッド６及び腹当てパッド７は本発明において必ずしも設けなくてもよい。ガード壁を立ち上げ状態に保持するための手段は立体縫製に限らず種々変更してよい。例えば、ガード壁に背板のような芯材を内蔵させて強制的にガード壁を起立させてもよい。そのような芯材は背板と一体に成形されてもよい。
【図面の簡単な説明】
【００４０】
【図１】本発明の一実施形態に係る子守帯の斜視図。
【図２】支持具の前端部の斜視図。
【図３】（ａ）は幼児を横抱き姿勢で支持している様子を、使用者の正面側（ａ）及び背面側（ｂ）からそれぞれ見た状態を示す図。
【図４】授乳時の支持姿勢を、使用者の正面側（ａ）及び右側面（ｂ）からそれぞれ見た状態を示す図。
【図５】授乳に備えてマット部の頭部支持側を斜めに傾けた様子を示す図。
【図６】図５の姿勢を実現するためにアジャストベルトを操作している様子を示す図。
【図７】マット部に内装される背板の裏面側からの斜視図。
【図８】背板を図７のVIII方向からみた状態を示す図。
【図９】背板の外周の断面形状を示す図であって、（ａ）は図７のXIa−XIa線、（ｂ）はXIｂ−XIｂ線でそれぞれ示す位置における断面形状を示している。
【図１０】背板にえぐり部を設けた例を示す図。
【図１１】ヘッドガードの通気構造を示す図。
【図１２】ヘッドガードの他の形態を示す図。
【図１３】支持具にて幼児を拘束する様子を示す図。
【図１４】ホールドベルトの取り付け手順を示す図。
【図１５】ホールドベルトのオスバックルがメスバックルから抜けたときの状態を示す図であって、（ａ）はマット部の側方からみた様子を、（ｂ）は（ａ）のXVb−XVb線に沿った断面図。
【図１６】マット部の本体部と脚支持部との連結部に関する部分拡大図。
【図１７】図１６に示した連結部の縫い合わせ前（ａ）と縫い合わせ後（ｂ）とを示す図。
【図１８】肩ベルトと支持具の後端部との接続部に関する部分拡大図であって、（ａ）は肩ベルトの吊り下げ支持位置をマット部の後縁に一致させた状態を、（ｂ）は肩ベルトの吊り下げ支持位置を前方にずらした状態をそれぞれ示す。
【図１９】肩ベルトと支持具の後端部との接続部に設けられたカバーを示す図であって、（ａ）はカバーを下ろした状態を、（ｂ）はカバーをめくり上げた状態をそれぞれ示す。
【符号の説明】
【００４１】
１  子守帯
２  支持具
２ａ  前端部
２ｂ  後端部
３  肩ベルト
４  マット部
４Ａ  本体部
４Ｂ  脚支持部
４ａ  前縁
４ｂ  後縁
４ｃ  側縁
４ｄ、４ｅ  ステッチライン
５  ヘッドガード
６  サイドパッド（側方支持部）
７  腹当てパッド（腹部保持部）
７ａ  腹当てパッドの基部
７ｂ  腹当てパッドの先端部
８  授乳用の開口部
１０  前ベルト
１１  後ベルト
１２  ラダーロック
１３  連結部
１４  アジャストベルト
１４ａ  余長部
１４ｂ  ループ部
１５  ラダーロック（ベルト長さ調整具）
１６  カバー
１８  背板
１８ａ  通気孔
１８ｃ  玉縁部（拡大部）
１９  ステッチライン
２０  通気孔
２１  メッシュ生地
２２  通気孔
２５  ホールドベルト
２５ａ  基部
２５ｂ  余長部
２６Ａ  メスバックル
２６Ｂ  オスバックル
２７  固定ベルト
２８  ベルト通し具
３０  第１のベルト孔（ベルト位置調整手段）
３１  第２のベルト孔（ベルト位置調整手段）
３２、３３  ベルト通し
３５  ガード壁
４０  トグル（留め具）
４１  掛止部
４１ａ  ボタン孔
４２  絞り部（狭小部）
４３  カバー
１００  使用者（授乳者）
１１０  幼児
１１１  頭部
１１２  臀部
１１３  脚部
【図１】
2005230110.tif 000003
【図２】
2005230110.tif 000004
【図３】
2005230110.tif 000005
【図４】
2005230110.tif 000006
【図５】
2005230110.tif 000007
【図６】
2005230110.tif 000008
【図７】
2005230110.tif 000009
【図８】
2005230110.tif 000010
【図９】
2005230110.tif 000011
【図１０】
2005230110.tif 000012
【図１１】
2005230110.tif 000013
【図１２】
2005230110.tif 000014
【図１３】
2005230110.tif 000015
【図１４】
2005230110.tif 000016
【図１５】
2005230110.tif 000017
【図１６】
2005230110.tif 000018
【図１７】
2005230110.tif 000019
【図１８】
2005230110.tif 000020
【図１９】
2005230110.tif 000021